(57)【要約】【課題】携帯用端末機のイメージ出力装置及び方法を提供する。【解決手段】イメージを出力する表示部と、表示部に出力するイメージを一時格納する画面出力バッファと、イメージを拡大する時プレビューイメージを拡大して格納し、拡大したプレビューイメージの画質を改善して一時格納する拡大表示バッファと、圧縮されたイメージファイルを格納するメモリ部と、デコーディング部と、表示部にプレビューイメージを出力する間に拡大要請を受信すると、画面出力バッファに格納されたプレビューイメージを拡大して拡大表示バッファに格納し、デコーディング部にデコーディングによる画質改善を要請するインタフェース部とを含み、デコーディング部は、インタフェース部から画質改善要請を受信すると、拡大表示バッファに格納された拡大したプレビューイメージの画質を全て改善するまで、既設定の分量ずつ改善しながら、インタフェース部にイメージ更新を要請する。【選択図】図２
2008123511.tif 000002
【特許請求の範囲】
【請求項１】
イメージを出力する表示部と、
前記表示部に出力する前記イメージを一時格納する画面出力バッファと、
イメージを拡大する時プレビューイメージを拡大して格納し、前記拡大したプレビューイメージの画質を改善して一時格納する拡大表示バッファと、
圧縮されたイメージファイルを格納するメモリ部と、
デコーディング部と、
前記表示部にプレビューイメージを出力する間に拡大要請を受信すると、前記画面出力バッファに格納された前記プレビューイメージを拡大して前記拡大表示バッファに格納し、前記デコーディング部にデコーディングによる画質改善を要請するように制御するインタフェース部とを含み、
前記デコーディング部は、前記インタフェース部から画質改善要請を受信すると、前記拡大表示バッファに格納された前記拡大したプレビューイメージの画質を全て改善するまで、既設定の分量ずつ改善しながら、前記インタフェース部にイメージ更新を要請するように制御することを特徴とする携帯用端末機のイメージ出力装置。
【請求項２】
前記インタフェース部は、前記デコーディング部に画質改善を要請した後、ユーザからのサイズ変更要請または前記デコーディング部からのイメージ更新要請を受信すると、前記拡大表示バッファに格納された改善中または改善完了した拡大イメージを、ユーザから要請されたサイズまたは既設定のサイズに変更し、変更したイメージを前記画面出力バッファに格納し、前記画面出力バッファに格納した前記変更したイメージを前記表示部に出力するように制御することを特徴とする請求項１に記載の携帯用端末機のイメージ出力装置。
【請求項３】
前記インタフェース部は、前記プレビューイメージを拡大して前記拡大表示バッファに格納する時、前記プレビューイメージに相応する前記圧縮されたイメージファイルのイメージサイズまで拡大することを特徴とする請求項１に記載の携帯用端末機のイメージ出力装置。
【請求項４】
前記インタフェース部は、前記デコーディング部が前記デコーディングする間にも、独立的に動作してユーザからの入力を受信することを特徴とする請求項２に記載の携帯用端末機のイメージ出力装置。
【請求項５】
前記インタフェース部は、前記デコーディング部で前記拡大したプレビューイメージの画質を改善する前に、前記表示部に画質を改善していない前記拡大したプレビューイメージを先に出力することを特徴とする請求項２に記載の携帯用端末機のイメージ出力装置。
【請求項６】
前記デコーディング部で出力可否を決定する前記既設定の分量は、
実験により測定した、ユーザが画質改善を認知できる程度の分量であることを特徴とする請求項１に記載の携帯用端末機のイメージ出力装置。
【請求項７】
前記デコーディング部で出力可否を決定する前記既設定の分量は、
０％、２５％、５０％、７５％及び１００％であることを特徴とする請求項６に記載の携帯用端末機のイメージ出力装置。
【請求項８】
イメージ拡大イベントの発生を感知すると、画面出力バッファに格納されたプレビューイメージを画質改善が可能なサイズまで拡大する過程と、
前記拡大したプレビューイメージを拡大表示バッファに格納する過程と、
デコーディング部に、前記拡大したプレビューイメージの画質改善を要請する過程と、
イメージ更新要請を受信したり、ユーザからのサイズ変更要請を受信すると、変更するイメージのサイズを確認する過程と、
前記拡大表示バッファに格納された改善中のまたは改善された拡大イメージを、前記確認したサイズに変更する過程と、
前記変更したイメージを前記画面出力バッファに格納する過程と、
前記画面出力バッファに格納された前記変更したイメージを出力する過程と、を含むことを特徴とする携帯用端末機のインタフェース部におけるイメージ出力方法。
【請求項９】
前記デコーディング部で、前記インタフェース部から前記拡大表示バッファに格納されたプレビューイメージの画質改善要請を受信する過程と、
前記拡大したプレビューイメージの原本イメージを検索する過程と、
前記原本イメージを用いて前記拡大したプレビューイメージで既設定の分量だけの画質を改善する過程と、
前記インタフェース部に前記イメージ更新を要請する過程と、をさらに含むことを特徴とする請求項８に記載のイメージ出力方法。
【請求項１０】
既設定の分量だけの画質を改善する過程と前記インタフェース部に前記イメージ更新を要請する過程とは、
前記拡大したプレビューイメージの画質改善が完了するまで繰り返されることを特徴とする請求項９に記載のイメージ出力方法。
【請求項１１】
前記インタフェース部は、前記デコーディング部が前記デコーディングする間にも独立的に動作して、ユーザからの入力を受信することを特徴とする請求項８に記載のイメージ出力方法。
【請求項１２】
前記デコーディング部に前記拡大したプレビューイメージの画質を改善するように要請する過程の後に、
画質を改善する前に、画質を改善していない前記拡大したプレビューイメージを先に出力する過程をさらに含むことを特徴とする請求項８に記載のイメージ出力方法。
【請求項１３】
前記拡大したプレビューイメージで既設定の分量だけの画質を改善する過程で、
実験により測定したユーザが画質改善を認知できる程度の分量を改善することを特徴とする請求項９に記載のイメージ出力方法。
【請求項１４】
前記拡大したプレビューイメージで既設定の分量だけの画質を改善する過程で、
０％、２５％、５０％、７５％及び１００％の分量を改善することを特徴とする請求項９に記載のイメージ出力方法。
【請求項１５】
イメージ拡大イベントの発生を感知すると、画面出力バッファに格納されたプレビューイメージを画質改善が可能なサイズまで拡大する手段と、
前記拡大したプレビューイメージを拡大表示バッファに格納する手段と、
デコーディング部に、前記拡大したプレビューイメージの画質を改善するように要請する手段と、
ユーザからのサイズ変更要請または前記デコーディング部からのイメージ更新要請を受信すると、変更するイメージのサイズを確認する手段と、
前記拡大表示バッファに格納された改善中の、または改善された拡大イメージを前記確認したサイズに変更する手段と、
前記変更したイメージを前記画面出力バッファに格納する手段と、
前記画面出力バッファに格納された前記変更したイメージを出力する手段と、を含むことを特徴とする携帯用端末機のインタフェース部におけるイメージ出力装置。
【請求項１６】
前記デコーディング部は、
前記インタフェース部から前記拡大表示バッファに格納された拡大したプレビューイメージの画質改善要請を受信する手段と、
前記拡大したプレビューイメージの原本イメージを検索する手段と、
前記原本イメージを用いて、前記拡大したプレビューイメージで既設定の分量だけの画質を改善する手段と、
前記インタフェース部に前記イメージ更新を要請する手段と、をさらに含むことを特徴とする請求項１５に記載のイメージ出力装置。
【請求項１７】
イメージ拡大イベントの発生を感知すると、画面出力バッファに格納されたプレビューイメージを画質改善が可能なサイズまで拡大する第１コードと、
前記拡大したプレビューイメージを拡大表示バッファに格納する第２コードと、
デコーディング部に前記拡大したプレビューイメージの画質を改善するように要請する第３コードと、
ユーザからのサイズ変更要請または前記デコーディング部からのイメージ更新要請を受信すると、変更するイメージのサイズを確認する第４コードと、
前記拡大表示バッファに格納された改善中の、または改善された拡大イメージを前記確認したサイズに変更する第５コードと、
前記変更したイメージを前記画面出力バッファに格納する第６コードと、
前記画面出力バッファに格納された前記変更したイメージを出力する第７コードと、を含むことを特徴とする携帯用端末機のインタフェース部でイメージを出力するコンピュータ読出媒体上のコンピュータ読出コード。
【請求項１８】
前記デコーディング部で、前記インタフェース部から前記拡大表示バッファに格納されたプレビューイメージの画質改善要請を受信する第８コードと、
前記拡大したプレビューイメージの原本イメージを検索する第９コードと、
前記原本イメージを用いて、前記拡大したプレビューイメージで既設定の分量だけの画質を改善する第１０コードと、
前記インタフェース部に前記イメージ更新を要請する第１１コードと、を含むことを特徴とする請求項１７に記載の携帯用端末機のインタフェース部でイメージを出力するコンピュータ読出媒体上のコンピュータ読出コード。
【発明の詳細な説明】
【技術分野】
【０００１】
本発明は、携帯用端末機のイメージ出力装置及び方法に関し、特に、携帯用端末機でイメージを拡大して出力する時、ユーザとのインタフェース作業とイメージを拡大するためにデコーディングする作業とを分離してユーザの待ち時間を短縮し、プレビューイメージを拡大して出力した後、プレビューイメージの原本ファイルをデコーディングして拡大出力したプレビューイメージの画質を改善するイメージ出力装置及び方法に関する。
【背景技術】
【０００２】
近年、移動通信端末機または個人携帯情報端末機（Personal Digital Assistant：以下、ＰＤＡとする）などの携帯用端末機が多く使用されている。かかる携帯用端末機は、単なる電話通話またはスケジュール管理などの目的だけでなく、装着されたデジタルカメラによるイメージや動画像の撮影、衛星放送の視聴、文書編集、ゲーム、ナビゲーション、音楽聴取、短文メッセージ、及び撮影したイメージや動画像を添付したマルチメディアメッセージの送受信など、その活用範囲が次第に大きくなっている。
【０００３】
特に、カメラと表示部の発達により高解像度イメージの撮影及び出力が可能となり、それに伴って携帯用端末機を用いてイメージを出力する方法も発展している。
【０００４】
一般に、携帯用端末機に格納される高解像度のイメージは、圧縮されてから格納される。圧縮されたイメージは、デコーディングをして出力することが可能であるが、携帯用端末機の表示部のサイズは殆ど小さいため、デコーディングしたイメージを再び画面のサイズに相応するサイズに縮小して出力する。
【０００５】
このように圧縮されたイメージをデコーディングしてから縮小して出力するには、大分時間がかかり、格納空間を無駄に使ってしまう。従って、従来の携帯用端末機では、圧縮方式によって定義した相対的に小さいサイズのプレビューイメージを出力し、ユーザの拡大イメージの要請によって高解像度のイメージが必要とされる場合にだけ、圧縮して格納されている原本ファイルをデコーディングし、デコーディングした原本イメージを要請による拡大サイズにまた縮小して、表示部に出力する。
【０００６】
しかし、プレビューイメージの拡大のために原本ファイルを表示部に出力可能な原本イメージにデコーディングする作業には、長時間を所要するという問題があって 、尚、圧縮した原本ファイルを原本イメージにデコーディングする間は携帯用端末機は他の作業ができないため、ユーザの入力に制約が発生するという問題がある。
【特許文献１】韓国特許公開第２００１−００６５４７６号公報
【特許文献２】韓国特許公開第２００２−００２２０５７号公報
【特許文献３】韓国特許公開第２００２−００２７１３９号公報
【発明の開示】
【発明が解決しようとする課題】
【０００７】
本発明は、上述の問題点に鑑みてなされたもので、その目的は、携帯用端末機のイメージ出力装置及び方法を提供することにある。
【０００８】
本発明の他の目的は、ユーザのインタフェース作業とイメージを拡大するためにデコーディングする作業を分離して、イメージデコーディング中にユーザとのインタフェースが可能な携帯用端末機のイメージ出力装置及び方法を提供することにある。
【０００９】
本発明のまた他の目的は、拡大イメージの出力要請の際、プレビューイメージを拡大して出力した後、プレビューイメージの原本ファイルをデコーディングして拡大出力したプレビューイメージの画質を改善する携帯用端末機のイメージ出力装置及び方法を提供することにある。
【００１０】
本発明のまた他の目的は、拡大イメージの出力要請の際、プレビューイメージを拡大して出力した後、プレビューイメージの原本ファイルをデコーディングして拡大出力したプレビューイメージの画質を既設定の分量ずつ改善しながら出力する携帯用端末機のイメージ出力装置及び方法を提供することにある。
【課題を解決するための手段】
【００１１】
上記目的を達成すべく、本発明の携帯用端末機のイメージ出力装置は、イメージを出力する表示部と、前記表示部に出力する前記イメージを一時格納する画面出力バッファと、イメージを拡大する時プレビューイメージを拡大して格納し、前記拡大したプレビューイメージの画質を改善して一時格納する拡大表示バッファと、圧縮されたイメージファイルを格納するメモリ部と、デコーディング部と、前記表示部にプレビューイメージを出力する間に拡大要請を受信すると、前記画面出力バッファに格納された前記プレビューイメージを拡大して前記拡大表示バッファに格納し、前記デコーディング部にデコーディングによる画質改善を要請するように制御するインタフェース部とを含み、前記デコーディング部は、前記インタフェース部から画質改善要請を受信すると、前記拡大表示バッファに格納された前記拡大したプレビューイメージの画質を全て改善するまで、既設定の分量ずつ改善しながら、前記インタフェース部にイメージ更新を要請するように制御することを特徴とする。
【００１２】
また、本発明の携帯用端末機のインタフェース部におけるイメージ出力方法は、イメージ拡大イベントの発生を感知すると、画面出力バッファに格納されたプレビューイメージを画質改善が可能なサイズまで拡大する過程と、前記拡大したプレビューイメージを拡大表示バッファに格納する過程と、デコーディング部に、前記拡大したプレビューイメージの画質改善を要請する過程と、イメージ更新要請を受信したり、ユーザからのサイズ変更要請を受信すると、変更するイメージのサイズを確認する過程と、前記拡大表示バッファに格納された改善中のまたは改善された拡大イメージを、前記確認したサイズに変更する過程と、前記変更したイメージを前記画面出力バッファに格納する過程と、前記画面出力バッファに格納された前記変更したイメージを出力する過程と、を含むことを特徴とする。
【発明の効果】
【００１３】
本発明によれば、携帯用端末機でイメージを拡大して出力する時、ユーザとのインタフェース作業とイメージを拡大するためにデコーディングする作業を分離し、拡大したイメージの出力要請の際、プレビューイメージを拡大して出力した後、プレビューイメージの原本ファイルをデコーディングして、拡大して出力したプレビューイメージの画質を既設定の分量ずつ改善しながら出力するイメージ出力装置及び方法に関し、イメージ拡大の際デコーディングによる待ち時間を短縮し、低解像度の拡大イメージを先に出力することで、ユーザの要求に早く応答できるという効果が得られる。
【発明を実施するための最良の形態】
【００１４】
以下、本発明の好ましい実施形態を添付の図面を参照して詳細に説明する。そして、本発明の要旨を不明にすると判断される場合には、その詳細な説明を省略すべきである。
【００１５】
本発明は、携帯用端末機でイメージを拡大して出力する際、ユーザとのインタフェース作業とイメージを拡大するためにデコーディングする作業を分離して、ユーザの待ち時間を短縮し、プレビューイメージを拡大出力した後、プレビューイメージの原本ファイルをデコーディングして、拡大出力したプレビューイメージの画質を改善するイメージ出力装置及び方法に関し、まず、図１を参照して説明する。
【００１６】
図１は、本発明の実施形態によるイメージを拡大して出力する携帯用端末機の構成を示す図である。図１を参照すると、本発明の携帯用端末機は、制御部１００、表示部１０２、入力部１０４、画面出力バッファ１０６、拡大表示バッファ１０８、メモリ部１１０、インタフェース部１１２及びデコーディング部１１４を含む。
【００１７】
前記表示部１０２は、前記端末機の動作中に発生する状態情報（またはインジケータ）、制限された数字と文字、動画像（moving picture）及び静止画像（still picture）などをディスプレイする。表示部１０２としては、カラー液晶表示装置（ＬＣＤ：Liquid Crystal Display）を使用することができる。
【００１８】
前記入力部１０４は、キーパッド（key pad）またはタッチスクリーンなどによるユーザからの入力を受信する装置であり、本発明によってユーザから出力したプレビューイメージの拡大有無と拡大サイズなどのユーザ入力を受信する。
【００１９】
前記画面出力バッファ１０６は、表示部１０２に出力するイメージを一時格納する。
【００２０】
前記拡大表示バッファ１０８は、イメージを拡大する時プレビューイメージを拡大して格納し、デコーディング部１１４を介して画質が改善されたイメージを一時格納する。
【００２１】
前記メモリ部１１０は、携帯用端末機の全般的な動作を制御するためのプログラムと、ＪＡＶＡ（登録商標）応用プログラム及び格納用データ（電話番号、ＳＭＳメッセージ、圧縮されたイメージファイル、動画像など）を格納する。
【００２２】
前記インタフェース部１１２は、ユーザとのインタフェースを処理する装置であり、プレビューイメージを出力する中、入力部１０４を介してイメージ拡大が要請されると、前記画面出力バッファ１０６に格納されたプレビューイメージを拡大して拡大表示バッファ１０８に格納し、前記デコーディング部１１４にデコーディングを通して画質を改善するように要請する。ユーザからのサイズ変更要請または前記デコーディング部１１４からのイメージ更新要請を受信すると、前記インタフェース部１１２は、拡大表示バッファ１０８に格納された改善中、または改善完了した拡大イメージを、ユーザから要請されたサイズまたは既設定のサイズに変更し、変更したイメージを前記画面出力バッファ１０６に格納し、前記画面出力バッファ１０６に格納した前記変更したイメージを前記表示部１０２に出力するように制御する。
【００２３】
また、前記インタフェース部１１２は、前記デコーディング部１１４にデコーディングを通して画質を改善するように要請した後には、前記デコーディング部１１４がデコーディング中であっても、前記入力部１０４を介してユーザからイメージのサイズ変更要請を受けることができる。
【００２４】
前記インタフェース部１１２は、プレビューイメージを前記拡大表示バッファ１０８に格納する前に拡大する。この時、拡大比率は、前記デコーディング部１１４が低解像度のイメージの拡大によるイメージ損傷を改善できるサイズまで拡大する。すなわち、前記デコーディング部１１４がデコーディングする前記プレビューイメージの原本イメージのサイズに拡大する。
【００２５】
前記デコーディング部１１４は、インタフェース部１１２からイメージ拡大要請を受信すると、前記拡大表示バッファ１０８に格納された拡大プレビューイメージの圧縮されたイメージファイルを前記メモリで検索し、前記圧縮されたイメージファイルをデコーディングして前記拡大表示バッファ１０８に格納された前記拡大プレビューイメージの画質を改善する。この時、前記デコーディング部１１４は、既設定の分量単位の画質を改善してから、前記インタフェース部１１２にイメージ更新要請を送信する。
【００２６】
本発明の前記インタフェース部１１２は、前記デコーディング部１１４が拡大可能な最大サイズに拡大した拡大イメージを、ユーザから要請されたサイズに前記拡大イメージを縮小してまた変更するが、一度で前記デコーディング部１１４を介してユーザから要請されたサイズに変更しない理由は、縮小に所要される時間は、拡大する時に比べて相対的に短いからである。これは、イメージのサイズを頻繁に変更する場合に効果的である。すなわち、拡大可能な最も大きいイメージに拡大して前記拡大表示バッファ１０８に格納し、サイズ変更によって前記拡大イメージを縮小して前記画面出力バッファ１０６に格納して出力することで、長時間を必要とする拡大は一度だけ行うため、頻繁なサイズ変更にもっと効果的である。
【００２７】
前記制御部１００は、前記インタフェース部１１２と前記デコーディング部１１４を制御する。すなわち、前記制御部１００は、前記インタフェース部１１２と前記デコーディング部１１４の機能を行うことができる。本発明でこれを別途に構成して図示したのは、各機能を区別して説明するためである。従って、実際に製品を具現する場合に、これらの全てを制御部１００で動作するプロセスで構成することもでき、これらのうち一部だけを前記制御部１００で処理するように構成することもできる。
【００２８】
以下、上記のように構成された本発明による携帯用端末機のイメージ出力方法を、添付の図面を参照して説明する。図２は、本発明の実施形態による携帯用端末機でイメージを拡大して出力する過程を示すフローチャートである。図２を参照すると、本発明のインタフェース部１１２は、ステップ２００でイメージ拡大イベントの発生を感知すると、ステップ２０２に進んで、前記画面出力バッファ１０６に格納されたプレビューイメージを前記デコーディング部１１４で画質改善が可能なサイズまで拡大する。そして、ステップ２０４に進んで、拡大したプレビューイメージを前記拡大表示バッファ１０８に格納し、これを前記デコーディング部１１４に知らせる。
【００２９】
次に、前記デコーディング部１１４は、ステップ２０６に進んで、前記拡大表示バッファ１０８に拡大して格納された前記プレビューイメージの圧縮されたイメージファイルをデコーディングして拡大プレビューイメージの画質を改善し、ステップ２０８に進んで、画質の改善が既設定の分量だけ行われたか確認する。
【００３０】
ステップ２０８の確認結果、既設定の分量だけ前記拡大プレビューイメージの画質が改善できなかったら、前記デコーディング部１１４は、ステップ２０６に戻って、ステップ２０８で画質改善が既設定の分量まで行われたことが確認されるまで、前記拡大プレビューイメージの画質を改善し続ける。
【００３１】
ステップ２０８の確認結果、既設定の分量だけ前記拡大プレビューイメージの画質が改善されたら、前記インタフェース部１１２はステップ２１０に進む。前記デコーディング部１１４からイメージ更新要請を受信すると、前記拡大表示バッファ１０８に格納された改善中の、または改善された拡大イメージをユーザから要請されたサイズに変更し、ステップ２１２に進んで、変更したイメージを前記画面出力バッファ１０６に格納する。次に、ステップ２１４に進んで、前記画面出力バッファ１０６に格納された変更イメージを表示部１０２に出力し、ステップ２１６に進んで、前記デコーディング部１１４からイメージ更新要請がない拡大プレビューイメージの画質改善を完了したか確認する。
【００３２】
ステップ２１６の確認結果、画質改善が完了できていなかったら、前記デコーディング部１１４は、ステップ２０６に戻って画質改善を続ける。ステップ２１６の確認結果、画質改善が完了したら、前記アルゴリズムを終了する。
【００３３】
ステップ２０８で確認する既設定の分量の基準は、ユーザがイメージの画質が改善されていることを感知できる程度にする。また、既設定の分量の最初を０％にして、拡大プレビューイメージを、画質を改善する前に出力する。
【００３４】
図２のフローチャートは、携帯用端末機の前記インタフェース部１１２と前記デコーディング部１１４の動作過程を全て含んでいる。以下では、図３及び図４を参照してそれぞれの装置での過程を説明する。
【００３５】
図３は、本発明の実施形態による携帯用端末機におけるイメージを拡大して出力する際のインタフェース部の動作過程を示すフローチャートである。図３を参照すると、本発明の携帯用端末機における前記インタフェース部１１２は、ステップ３００で、ユーザから選択されたイメージのプレビューイメージを前記表示部１０２に出力し、ステップ３０２に進んで、ユーザの要請によるイメージ拡大イベントの発生有無を確認し、確認結果、イメージ拡大イベントの発生がないと、該当機能を行う。
【００３６】
ステップ３０２の確認結果、イメージ拡大イベントの発生を感知すると、前記インタフェース部１１２は、ステップ３０４に進んで、前記画面出力バッファ１０６に格納されたプレビューイメージを画質改善が可能なサイズまで拡大し、ステップ３０６に進んで、拡大したプレビューイメージを前記拡大表示バッファ１０８に格納する。そして、ステップ３０８に進んで、前記デコーディング部１１４に拡大プレビューイメージの画質を改善するように要請し、ステップ３１０に進んで、ユーザからのサイズ変更要請または前記デコーディング部１１４からのイメージ更新要請の受信を確認する。
【００３７】
ステップ３１０の確認結果、サイズ変更要請またはイメージ更新要請を受信したら、前記インタフェース部１１２は、ステップ３１２に進んで、変更するイメージのサイズを確認し、ステップ３１４に進んで、前記拡大表示バッファ１０８に格納された改善中のまたは改善された拡大イメージを、ステップ３１２で確認したサイズに変更する。そして、ステップ３１６に進んで、変更したイメージを前記画面出力バッファ１０６に格納し、ステップ３１８に進んで、画面出力バッファに格納された変更イメージを表示部１０２に出力する。
【００３８】
一方、ステップ３１２で変更するイメージのサイズは、最も最近ユーザが要請したイメージのサイズである。しかし、もしユーザがイメージのサイズを変更する前であったら、既設定のイメージのサイズである。
【００３９】
ステップ３１０を参照すると、前記インタフェース部１１２は、出力する拡大イメージを、ユーザまたは前記デコーディング部１１４からの要請により更新している。これは、前記デコーディング部１１４でデコーディングが完了していない状況でも、ユーザからのサイズ変更要請を受信すると、それを反映して部分的に画質改善されたイメージを出力することを意味する。すなわち、本発明はデコーディングによるユーザの待ち時間を短縮ようになる。
【００４０】
図４は、本発明の実施形態による携帯用端末機におけるデコーディング部の動作過程を示すフローチャートである。
【００４１】
図４を参照すると、本発明の携帯用端末機における前記デコーディング部１１４は、ステップ４００で前記インタフェース部１１２から前記拡大表示バッファ１０８に格納された拡大プレビューイメージの画質改善要請を受信すると、ステップ４０２に進んで、前記拡大プレビューイメージの原本イメージを前記メモリ部１１０で検索する。次に、ステップ４０４に進んで、前記拡大プレビューイメージから既設定の分量だけの画質を改善し、ステップ４０６に進んで、前記インタフェース部１１２にイメージ更新を要請し、ステップ４０８に進んで、前記拡大プレビューイメージの画質改善が完了したか確認する。
【００４２】
ステップ４０８の確認結果、画質改善が完了したら、前記アルゴリズムを終了し、完了していなかったら、ステップ４０４に戻って、前記拡大プレビューイメージの画質改善が完了するまで、ステップ４０４及びステップ４０６を繰り返す。
【００４３】
以下、プレビューイメージが拡大出力された後、画質が改善される過程を図５の出力画面を参照して説明する。図５は、本発明の実施形態による携帯用端末機でプレビューイメージを拡大し、改善しながら出力する出力画面を示す図である。
【００４４】
図５の（ａ）は、円を撮影したプレビューイメージを出力した画面であり、図５の（ｂ）は、プレビューイメージを拡大して出力した出力画面であって、既設定の改善分量が０％である時の出力画面である。図５の（ｂ）では、低解像度のプレビューイメージを拡大したので、階段形状のイメージ損傷が発生する。図５の（ｃ）は、既設定の改善分量が２５％であって、拡大したプレビューイメージの一部が改善されたことが確認できる。図５の（ｄ）は、既設定の改善分量が５０％であって、拡大したプレビューイメージの半分が改善されたことが確認できる。図５の（ｅ）は、既設定の改善分量が７５％であって、拡大したプレビューイメージの殆どが改善されたことが確認できる。図５の（ｆ）は、既設定の改善分量が１００％であって、拡大したプレビューイメージの全部が改善されたことが確認できる。
【００４５】
一方、図５を参照すると、拡大したプレビューイメージの画質を改善するにおいて、イメージの上端から下端に順次に改善しているが、これはデコーディング方法によって異なり得る。
【００４６】
また、本発明の実施形態は、コンピュータ読出媒体上のコンピュータ読出コードを含むことができる。コンピュータ読出媒体は、コンピュータシステムにより読出できるデータを格納するデータ格納手段を含むことができる。コンピュータ読出媒体の例としては、磁気記録メディア（ＲＯＭ、フロッピディスク、ハードディスクなど）、光学記録メディア（ＣＤ−ＲＯＭまたはＤＶＤなど）及び搬送波（インターネットを介する伝送など）のような格納メカニズムなどがある。また、コンピュータ読出媒介体は、コンピュータシステムに接続しているネットワークにより配布されることができ、配布方式によって格納及び実行されることができる。また、本発明の実施形態を行う機能プログラム、コード及びコードセグメントは、本発明の属する技術分野における通常の知識を有する者により理解できる。
【００４７】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００４８】
【図１】本発明の実施形態によるイメージを拡大して出力する携帯用端末機の構成を示す図である。
【図２】本発明の実施形態による携帯用端末機でイメージを拡大して出力する過程を示すフローチャートである。
【図３】本発明の実施形態による携帯用端末機でイメージを拡大して出力する際のインタフェース部の動作過程を示すフローチャートである。
【図４】本発明の実施形態による携帯用端末機におけるデコーディング部の動作過程を示すフローチャートである。
【図５】本発明の実施形態による携帯用端末機におけるプレビューイメージを拡大して画質を改善しながら出力する出力画面を示す図である。
【符号の説明】
【００４９】
１００  制御部
１０２  表示部
１０４  入力部
１０６  画面出力バッファ
１０８  拡大表示バッファ
１１０  メモリ部
１１２  インタフェース部
１１４  デコーディング部
【図１】
2008123511.tif 000003
【図２】
2008123511.tif 000004
【図３】
2008123511.tif 000005
【図４】
2008123511.tif 000006
【図５】
2008123511.tif 000007